(57)【要約】      （修正有）【課題】デンタルフロスなどの巻糸環を収容保持した状態で引き出して使用するのに用いるケースに関し、合成樹脂板を用いずに、印刷が容易な厚紙などでも容易に形成でき、しかも角張らない形状のデンタルフロス巻糸環の保持兼繰り出しケースを極めて安価に実現する。【解決手段】二つ折りしたケース裏紙１０とケース表紙１、折り目ｂ３を介してケース裏紙１０と連続するカバー紙２と、折り目ｂ１を介してケース表紙１と連続する芯保持紙９とを有し、前記のケース裏紙１０とケース表紙１の両側には偏平ラグビーボール状の側壁紙３を有している厚紙その他のシート材を立体に折って組み立ててなる巻糸環１２のケースである。【選択図】図４
2005335742.tif 000002
【特許請求の範囲】
【請求項１】
二つ折りしたケース底紙とケース表紙、折り目を介してケース底紙と連続するカバー紙と、折り目を介してケース表紙と連続する芯保持紙とを有し、前記のケース底紙とケース表紙の両側には偏平ラグビーボール状の側壁紙を有している厚紙その他のシート材を立体に折って組み立ててなることを特徴とする巻糸環のケース。
【請求項２】
前記の芯保持紙の一部を折り起こして巻糸環の芯を形成し、巻糸環の中央孔に挿入してなることを特徴とする請求項１に記載の巻糸環の保持兼繰り出しケース。
【請求項３】
前記のケース表紙に、内部の巻糸環の残量が見える窓穴を形成し、ケース表紙の内面に透明または半透明のシートを重ねてあることを特徴とする請求項１または請求項２に記載の巻糸環の保持兼繰り出しケース。
【請求項４】
前記のケース表紙に、前記のカバー紙の先端の舌片を挿入する切り目を形成してあることを特徴とする請求項１、請求項２または請求項３に記載の巻糸環の保持兼繰り出しケース。
【請求項５】
前記のケース表紙または芯保持紙に、前記ケース表紙と芯保持紙との間の折り目寄りの位置に、巻糸環から引き出した糸を挟持保持する切り目を設けてあることを特徴とする請求項１から請求項４までのいずれかの項に記載の巻糸環の保持兼繰り出しケース。
【請求項６】
前記のケース表紙に、前記の巻糸環の先端を引き出してカットするカッターを設けてあることを特徴とする請求項１から請求項５までのいずれかの項に記載の巻糸環の保持兼繰り出しケース。
【発明の詳細な説明】
【技術分野】
【０００１】
本発明は、デンタルフロス（歯間清掃糸）などの巻回体すなわち巻糸環を収容保持した状態で引き出して使用するのに用いるケースに関する。
【背景技術】
【０００２】
デンタルフロスの巻糸環の保持兼繰り出しケースとして、特開平８-40460号公報に記載のように、少なくとも１個のデンタルフロスリール、前記デンタルフロスリールをそれらの間に収納するように結合された１個の表シートおよび１個の裏シート、前記デンタルフロスリールの支持手段、前記デンタルフロスの引出口手段、および前記デンタルフロスの切断手段を有することを特徴とするデンタルフロスディスプレー／ディスペンサー装置が提案されている。
【特許文献１】特開平８-40460
【発明の開示】
【発明が解決しようとする課題】
【０００３】
ところが、特許文献１の装置は、リールに巻かれたデンタルフロスの巻糸環を収納する凹室やリールの中央穴に挿入する軸を合成樹脂板で一体成型する構成であるため、製造するのに樹脂成型装置を必要とし、高価な設備投資が必要となる。また、合成樹脂板は、デンタルフロスの巻糸環に関する商品名や取り扱い説明文などの印刷が困難であり、別体の紙に印刷して貼りつけるのではコスト高となる。凹室にデンタルフロスの巻糸環を収納した状態では凸状の外形となるため、ポケットなどに入れて携帯するには角張り過ぎるという問題がある。
【０００４】
本発明の技術的課題は、このような問題に着目し、合成樹脂板を用いずに、印刷が容易な厚紙などでも容易に形成でき、しかも嵩張らない形状のデンタルフロス巻糸環の保持兼繰り出しケースを極めて安価に実現することにある。すなわち、嵩張らない形状の紙製の保持兼繰り出しケースにおいても、巻糸環を収納保持してデンタルフロスなどの糸状体を容易に引き出して使用できる構造を実現する。
【課題を解決するための手段】
【０００５】
本発明の技術的課題は次のような手段によって解決される。請求項１は、二つ折りしたケース底紙とケース表紙、折り目を介してケース底紙と連続するカバー紙と、折り目を介してケース表紙と連続する芯保持紙とを有し、前記のケース底紙とケース表紙の両側には偏平ラグビーボール状の側壁紙を有している厚紙その他のシート材を立体に折って組み立ててなることを特徴とする巻糸環のケースである。なお、巻糸環は、デンタルフロス以外の糸類を巻いてなる環体であってもよい。シート材は、厚紙状体などのようにシート状をしており、しかもデンタルフロスなどを消費するまでの比較的短い期間、ケースとして耐えうる程度の剛性を有しておればよく、特に厚紙に限定されない。
【０００６】
このように、本発明による各種の巻糸環の収納ケースは厚紙その他のシート材を用いて形成できるので、立体的に組み立てる前の平坦状態において先に各種の印刷が可能であるから、印刷などに関するコストを著しく低廉化できる。また、二つ折りしたケース底紙とケース表紙、折り目を介してケース底紙と連続するカバー紙と、折り目を介してケース表紙と連続する芯保持紙とを有し、前記のケース底紙とケース表紙の両側には偏平ラグビーボール状の側壁紙を有している厚紙その他のシート材を立体に折って組み立ててなる構成であるから、各折り目で折って、立体的に組み立てるだけであり、巻糸環用の芯保持紙とカバー紙を有するケースを極めて安価に製作できる。さらに、側壁が長方形状でなく、偏平ラグビーボール状をしているので、両端が流線形ないし偏平状のピロー状となり、嵩張らない形状であるから、ポケットなどに入れて携帯するのに適している。
【０００７】
請求項２は、前記の芯保持紙の一部を折り起こして巻糸環用の芯を形成し、巻糸環の中央孔に挿入してなることを特徴とする請求項１に記載の巻糸環の保持兼繰り出しケースである。このように、前記の芯保持紙の一部を直角に折り起こして巻糸環用の芯を形成し、巻糸環の中央孔に挿入する構造であるから、平坦な芯保持紙自体で巻糸環の軸となる芯も形成でき、極めて安価なケースとなる。
【０００８】
請求項３は、前記のケース表紙に、内部の巻糸環の残量が見える窓穴を形成し、ケース表紙の内面に透明または半透明のシートを重ねてあることを特徴とする請求項１または請求項２に記載の巻糸環の保持兼繰り出しケースである。このように、ケース表紙に、内部の巻糸環の残量が見える窓穴を形成してあるので、外から内部の巻糸環の消費した後の残量を容易に目視確認できる。また、ケース表紙の内面に透明または半透明のシートを重ねてあるので、内部に塵埃が入ったりする恐れはない。しかも、このシートは、内蔵されている巻糸環によってケース表紙に押し着けられているので安定性が良い。したがって、特に接着する工程を要せず、製造が容易になる。さらに、外側において、巻糸環から引き出した糸を摘む場合には、前記シートが指で容易に押し込めるので、その上でデンタルフロス等の先端を摘んで引き出す操作が簡単に行える。
【０００９】
請求項４は、前記のケース表紙に、前記のカバー紙の先端の舌片を挿入する切り目を形成してあることを特徴とする請求項１、請求項２または請求項３に記載の巻糸環の保持兼繰り出しケースである。このように、巻糸環のケース表紙に、前記のカバー紙の先端の舌片を挿入する切り目を形成してあるので、カバー紙の先端の舌片をケース表紙の切り目に差し込むだけで、カバー紙を偏平状に固定できる。また、製造時には、カバー紙の先端の舌片をケース表紙の切り目に差し込んで仮固定した状態で、側壁とケース裏紙との接合ができるので、接合作業が簡易になり、作業性が向上する。
【００１０】
請求項５は、前記のケース表紙または芯保持紙に、前記ケース表紙と芯保持紙との間の折り目寄りの位置に、巻糸環から引き出した糸を挟持保持する切り目を設けてあることを特徴とする請求項１から請求項４までのいずれかの項に記載の巻糸環の保持兼繰り出しケースである。このように、ケース表紙または芯保持紙に、前記ケース表紙と芯保持紙との間の折り目寄りの位置に、巻糸環から引き出した糸を挟持保持する切り目を設けてあるので、巻糸環から引き出した糸を、ケース表紙上の使用時にいつでも摘まみ易い位置に導いて保持しておける。したがって、こうして挟持保持されている糸の先端を摘んでから、引き出すことができ、取り扱いが簡便である。
【００１１】
請求項６は、前記のケース表紙に、前記の巻糸環の先端を引き出してカットするカッターを設けてあることを特徴とする請求項１から請求項５までのいずれかの項に記載の巻糸環の保持兼繰り出しケースである。このように、ケース表紙に、巻糸環の糸先端を引き出してカットするカッターを設けてあるので、前記のようにして摘んで引き出したデンタルフロス等をカッターに導いて、所望長さに容易に切断できる。
【発明の効果】
【００１２】
請求項１のように、本発明による各種の巻糸環の収納ケースは、厚紙その他のシート材を用いて形成できるので、立体的に組み立てる前の平坦状態において先に各種の印刷が可能であるから、印刷などに関するコストを著しく低廉化できる。また、二つ折りしたケース底紙とケース表紙、折り目を介してケース底紙と連続するカバー紙と、折り目を介してケース表紙と連続する芯保持紙とを有し、前記のケース底紙とケース表紙の両側には偏平ラグビーボール状の側壁紙を有している厚紙その他のシート材を立体に折って組み立ててなる構成であるから、各折り目で折って、立体的に組み立てるだけであり、巻糸環用の芯保持紙とカバー紙を有するケースを極めて安価に製作できる。さらに、側壁が長方形状でなく、偏平ラグビーボール状をしているので、両端が流線形ないし偏平状のピロー状となり、嵩張らない形状であるから、ポケットなどに入れて携帯するのに適している。
【００１３】
請求項２のように、前記の芯保持紙の一部を直角に折り起こして巻糸環用の芯を形成し、巻糸環の中央孔に挿入する構造であるから、平坦な芯保持紙自体で巻糸環の軸となる芯も形成でき、極めて安価なケースとなる。
【００１４】
請求項３のように、ケース表紙に、内部の巻糸環の残量が見える窓穴を形成してあるので、外から内部の巻糸環の消費した後の残量を容易に目視確認できる。また、ケース表紙の内面に透明または半透明のシートを重ねてあるので、内部に塵埃が入ったりする恐れはない。しかも、このシートは、内蔵されている巻糸環によってケース表紙に押し着けられているので安定性が良い。したがって、特に接着する工程を要せず、製造が容易になる。さらに、外側において、巻糸環から引き出した糸を摘む場合には、前記シートが指で容易に押し込めるので、その上でデンタルフロス等の先端を摘んで引き出す操作が簡単に行える。
【００１５】
請求項４のように、巻糸環のケース表紙に、前記のカバー紙の先端の舌片を挿入する切り目を形成してあるので、カバー紙の先端の舌片をケース表紙の切り目に差し込むだけで、カバー紙を偏平状に固定できる。また、製造時には、カバー紙の先端の舌片をケース表紙の切り目に差し込んで仮固定した状態で、側壁とケース裏紙との接合ができるので、接合作業が簡易になり、作業性が向上する。
【００１６】
請求項５のように、ケース表紙または芯保持紙に、前記ケース表紙と芯保持紙との間の折り目寄りの位置に、巻糸環から引き出した糸を挟持保持する切り目を設けてあるので、巻糸環から引き出した糸を、ケース表紙上の使用時にいつでも摘まみ易い位置に導いて保持しておける。したがって、こうして挟持保持されている糸の先端を摘んでから、引き出すことができ、取り扱いが簡便である。
【００１７】
請求項６のように、ケース表紙に、巻糸環の糸先端を引き出してカットするカッターを設けてあるので、前記のようにして摘んで引き出したデンタルフロス等をカッターに導いて、所望長さに容易に切断できる。
【発明を実施するための最良の形態】
【００１８】
次に本発明によるデンタルフロス巻糸環の保持兼繰り出しケースが実際上どのように具体化されるか実施形態を説明する。図１は、巻糸環の保持兼繰り出しケースの全容を示す斜視図、図７は図１のＡ−Ａ断面図であり、ケース表紙１のスリット１ａ中に、カバー紙２の先端の舌片２ａが挿入されている。３は、偏平ラグビーボール状の側壁である。このように、側壁が偏平ラグビーボール状をしているので、中央は膨らんでいてデンタルフロスの巻糸環１２が収納されているが、前後両端は流線形であるから、ポケットなどに入れても凸形状が目立ったり角張ることはない。
【００１９】
図２は、図１のケースにおいて、カバー紙２の先端の舌片２ａをスリット１ａから抜いて、カバー紙２を開けた状態である。このようにカバー紙２を開けると、ケース表紙１の全体が露出するので、カッター４や覗き窓５、巻糸環から引き出したデンタルフロス先端６が見える。デンタルフロスを所用量引き出してカットするには、図示のようにフロス先端６の最先端がカッター４に挟持されている状態で、まず覗き窓５の上でフロス先端６を指で摘んで引っ張ると、内蔵されているデンタルフロスの巻糸環１２が回転してデンタルフロスが繰り出される。そして、所用の長さを引き出したら、カッター４の位置に導いて、カッター４に引っ掛けてカットする。そして、切り離したデンタルフロスを用いて、歯間の清掃に使用する。
【００２０】
カットした後は、図示のように、カットされたフロス先端６の最先端はカッター４に挟持された状態となるので、フロス先端６は常にカッター４と挟持スリットとの間に一直線状に保持され、しかも前記の覗き窓５の上を直径方向に横切る状態が維持される。ケース表紙１の内面には透明または半透明のシート７を重ねてあるが、前記の覗き窓５の上を横切っているフロス先端６を摘む際は、可撓性のシート７が指に当たって自然と容易に引っ込むので、フロス先端６を指で摘むのに好都合である。
【００２１】
図３は、図２の側壁の接着シート８を剥がしてから、ケース表紙１と、巻糸環１２の下側の芯保持紙９を一緒にケース裏紙１０から分離して反転させた状態である。この図からも明らかなように、偏平ラグビーボール状の側壁３は、ケース裏紙１０の両側とケース表紙１の両側に形成されている。図３のケース表紙１の裏面上に、透明または半透明のシート７を重ね、その上に巻糸環１２が重なっている。そして、巻糸環１２の上に、芯保持紙９が重なっている。したがって、この芯保持紙９をケース裏紙１０の内面上に重ねたのが図２であり、この芯保持紙９の折り目ｂ１寄りの手前の端部には、巻糸環１２から引き出されたフロス先端６を挟持する切り目１３が形成されている。
【００２２】
図４は、図３の状態において、芯保持紙９とその内側の巻糸環１２を一緒に反転させた状態であり、芯保持紙９から切り起こされた芯１４が巻糸環１２を巻き付けた芯環１５中に挿入されている。したがって、巻糸環１２は、この芯１４を中心に回転して、フロスが引き出される。一方、透明または半透明のシート７の下側に、図２のスリット１ａ、カッター押さえ用の接着テープ１６、覗き窓５が見えている。図５は、図４において、芯１４から巻糸環１２を取り外した状態であり、芯保持紙９から切り起こした芯１４は、Ｖ字状に折り曲げ形成されている。
【００２３】
図６は、巻糸環の保持兼繰り出しケースを構成する厚紙その他のシート材を展開した状態の裏面であり、シート材の輪郭の内側における破線ｂ１…ｂ４、17ｃ、17ｄは折り目を示し、実線１７ａ、１７ｂは切り目を示す。芯保持紙９の隅部の長方形状の領域１７において、互いに直角方向の切り目１７ａ、１７ｂを入れてから、折り目１７ｃにおいて上側に直角に折って起こす。次いで、折り目１７ｄにおいて、舌片１７ｅをＶ字状に折り曲げると、図４、図５のようにＶ字状の芯１４となるが、自身の復元力によって元に戻ろうとする。このＶ字状芯１４が巻糸環１２の中央の芯環１５中に挿入されるようにセットすると、図４の状態となるが、前記の復元力によって、芯環１５の内周に常時圧接するように作用するので、巻糸環１２が安定よく回転支持される。巻糸環１２のセット後、巻糸環１２のフロス先端６を引き出して、切り目１３に引き込んで挟んでおく。図６の切り目１３は、その入り口側１３ａをＶ字状にカットして、フロス先端の切り目１３中への引き込み挿入が容易なガイドにしてある。また、切り目１３の奥の部分には円形の小穴１３ｂを開けて、切り目１３が容易に裂けたりするのを防いでいる。なお、この切り目１３は、芯保持紙９でなく、ケース表紙１において、芯保持紙９とケース表紙１間の折り目ｂ１寄りの手前側の端部に形成してもよい。
【００２４】
次に、図６のシート材を用いて図１、図７のような巻糸環の保持兼繰り出しケースを製造する方法を説明する。まず、厚紙などのシート材を用いて、図６のような形状に打ち抜き形成しておく。すなわち、両側に偏平ラグビーボール状の側壁３を有するケース表紙１、ケース裏紙１０とカバー紙２と芯保持紙９とが連続した展開形状に形成する。図６は、展開したシート材の裏面図であって、表面には、内蔵されている商品の説明や使い方、製造販売者の名称、住所、電話番号その他を印刷しておく。販促用であれば、販促対象商品の説明や広告宣伝などを印刷しておく。
【００２５】
次いで、前記のケース表紙１の裏面から図２のカッター刃４を取り付ける。図８は、カッター４の斜視図であり、薄い金属板４ａを舌４状に切り起こして、例えば２０〜３０℃程度の角度に傾けておく。したがって、鎖線のフロス先端６を、斜めに切り起こされた舌片４の下側に、破線のように引き込んで舌片４の根元側に引っ張ると、フロス先端６は容易に切断される。このようなカッター舌４の部分がケース表紙１のカッター穴１８から露出するように、ケース表紙１の裏側から貼り付けておく。すなわち、図６の展開図におけるケース表紙１の裏面のカッター穴１８中に、カッター金属板４ａを裏返して、カッター舌４の部分を挿入する。そして、カッター金属板４ａより大きな接着テープ１６（図４）を貼ると、カッター金属板４ａがケース表紙１の裏面に接着固定される。
【００２６】
次に、接着テープ１６の上から、透明または半透明のシート７を重ねて、図４、図５の状態にする。この透明または半透明のシート７は、図６からも明らかなように、ケース表紙１の内面の領域よりわずかに小さな四角形状をしているので、ケース表紙１の内面に接着しないで、単に重ねるだけでも安定性が良い。そして、芯保持紙９の隅部の長方形状の領域１７を直角に起こして、図５のようなＶ字状の芯１４を形成し、巻糸環１２の芯環１５中に入るように巻糸環１２をセットする。次いで、フロス先端６をスリット１３中に引き込んで挟んでおくと、図４の状態となる。
【００２７】
その後は、各折り目ｂ１、ｂ２…から順次折り畳んでいくだけである。すなわち、図４の状態において、芯保持紙９とケース表紙１間の折り目ｂ１で内側に折り畳んで、透明または半透明のシート７の上に巻糸環１２を重ねると、図３の状態になる。次に、図３の状態において、ケース表紙１とケース裏紙１間の折り目ｂ２で内側に折り畳んで、ケース裏紙１０の内面上に芯保持紙９を重ねると、図２の状態となる。
【００２８】
このとき、ケース表紙１およびケース裏紙１０の左右両側の偏平ラグビーボール状の側壁３を内側に直角に折り起こして立てると共に、ケース裏紙１０の両側壁３の外側にケース表紙１の両側壁３が被さるようにセットし、フロス先端６はケース表紙１の上側に引き出しておく。次いで、図２のカバー紙２をケース表紙１の上に折り重ねると共に、カバー紙先端の舌片２ａをケース表紙１のスリット１ａ中に挿入した状態において、ケース表紙１側の両側壁３とケース裏紙１０の外面に渡って接着シート８を貼り着けて互いに固定すると、図１の状態となり、完成である。前記のように、カバー紙先端の舌片２ａをケース表紙１のスリット１ａ中に挿入して、ケースの形態を安定させた状態で接着シート８を貼り着けるので、貼り着け作業が容易になる。また、ケース裏紙１０から折り目ｂ３を介して延びたカバー紙２をケース表紙１の上に被せる構造であるため、従来のようにケース裏紙１０の先端とケース表紙１の先端とを位置合わせして糊付け接着する場合と違って、接着シート８を貼るだけであるから、組み立て作業が簡便化される。
【００２９】
なお、巻糸環１２の巻芯となる芯環１５が無い構造、すなわち芯無し構造の巻糸環も可能である。また、図示の芯１４は一例であって、芯保持紙９自体から切り起こして形成され、巻糸環１２の回転を支持するようにその中央穴に挿入できる構造であれば、種々の構造が可能である。
【産業上の利用可能性】
【００３０】
以上のように、本発明による巻糸環の保持兼繰り出しケースは、左右両側壁が偏平ラグビーボール状をしており、ケース表紙とケース裏紙とカバー紙と芯保持紙とからなるシート材を折り曲げ、組み立てた構造であるため、極めて安価に角張らない偏平状のケースを実現でき、また印刷も容易であるため、簡易型のデンタルフロス巻糸環などの保持兼繰り出しケースとしての普及が期待できる。その結果、国民の歯科衛生の向上と普及に貢献できる。ただし、本発明は、デンタルフロス巻糸環用だけでなく、例えば釣り用のテグスや裁縫用の糸の巻糸環を内蔵保持し繰り出す場合の収納ケースにも利用できることは言うまでもない。
【図面の簡単な説明】
【００３１】
【図１】本発明による巻糸環の保持兼繰り出しケースの全容を示す斜視図である。
【図２】図１のカバー紙を開けた状態を示す斜視図である。
【図３】図２のケース表紙と芯保持紙を一緒にケース裏紙から分離して反転させた状態を示す斜視図である。
【図４】図３の芯保持紙と巻糸環を一緒に反転させた状態を示す斜視図である。
【図５】図４の芯から巻糸環を取り外した状態を示す斜視図である。
【図６】巻糸環の保持兼繰り出しケースを構成するシート材を展開した状態の裏面図である。
【図７】図１のＡ−Ａ断面図である。
【図８】カッターの斜視図である。
【符号の説明】
【００３２】
１  ケース表紙
１ａ  スリット
２  カバー紙
２ａ  舌片
３  偏平ラグビーボール状の側壁
４  カッター
５  覗き窓
６  フロス先端
７  透明または半透明のシート
８  接着シート
９  芯保持紙
１０  ケース裏紙
１２  巻糸環
１３  切り目
１４  芯
１５  芯環
１６  カッター押さえ用の接着テープ
１７ａ・１７ｂ  切り目
１７ｃ・１７ｄ折り目
１７ｅ  舌片
１８  カッター挿入穴
ｂ１・ｂ２…  折り目
【図１】
2005335742.tif 000003
【図２】
2005335742.tif 000004
【図３】
2005335742.tif 000005
【図４】
2005335742.tif 000006
【図５】
2005335742.tif 000007
【図６】
2005335742.tif 000008
【図７】
2005335742.tif 000009
【図８】
2005335742.tif 000010